(57)【要約】  本発明による照明装置は、内部空洞及び孔を含む第１のハウジングと、少なくとも１つの照明素子と、照明素子に電気的に結合された駆動部基板とを含む。駆動部基板は、アンテナ素子を含む。駆動部基板の少なくとも一部分は、第１のハウジングの内部空洞内に配置される。第１のハウジングの孔は、無線周波数信号が第１のハウジングの内部空洞に到達する経路を構成するように配置される。駆動部基板は、第１のハウジングの孔を通って突出する上端部分を含む。アンテナ素子は、駆動部基板の上端部分に配置される。
2017522690.tif 000002
【特許請求の範囲】
【請求項１】
照明装置であって、
内部空洞及び孔を含む第１のハウジングと、
少なくとも１つの照明素子と、
前記少なくとも１つの照明素子に電気的に結合され、アンテナ素子を含む駆動部基板と、を有し、
前記駆動部基板の少なくとも一部分は、前記第１のハウジングの内部空洞内に配置され、
前記第１のハウジングの孔は、無線周波数信号が前記第１のハウジングの内部空洞に到達する経路を構成するように配置される、照明装置。
【請求項２】
前記駆動部基板は、前記第１のハウジングの孔を通って突出する上端部分を含む、請求項１に記載の照明装置。
【請求項３】
前記アンテナ素子は、前記駆動部基板の上端部分に配置される、請求項２に記載の照明装置。
【請求項４】
更に、照明空洞を含む包囲体である光学部品を有し、前記照明空洞は、少なくとも１つの照明素子を収容する、請求項３に記載の照明装置。
【請求項５】
前記アンテナ素子は、前記照明空洞の中に配置される、請求項４に記載の照明装置。
【請求項６】
前記駆動部基板の少なくとも一部は、白色はんだマスクでコーティングされる、請求項４に記載の照明装置。
【請求項７】
前記第１のハウジングの孔は、前記照明装置の中心軸線に沿って配置される、請求項１に記載の照明装置。
【請求項８】
前記第１のハウジングの孔は、前記照明装置の中心軸線からオフセットされた位置に配置される、請求項１に記載の照明装置。
【請求項９】
更に、前記第１のハウジングの内部空洞内に少なくとも部分的に配置された第２の駆動部基板を有する、請求項１に記載の照明装置。
【請求項１０】
更に、照明素子基板を有し、前記少なくとも１つの照明素子は、前記照明素子基板に沿って配置される、請求項１に記載の照明装置。
【請求項１１】
前記照明素子基板は、前記第１のハウジングの孔に一致する第２の孔を有する、請求項１０に記載の照明装置。
【請求項１２】
更に、第２のハウジングを有し、前記第１のハウジングの内部空洞は、前記第２のハウジング及び前記駆動部基板の少なくとも一部を受入れるように構成される、請求項１に記載の照明装置。
【請求項１３】
更に、電気絶縁体で構成される挿入リングを有し、前記挿入リングは、前記第１のハウジングの孔の中に嵌合するように構成される、請求項１に記載の照明装置。
【請求項１４】
照明器具であって、
開端部及び閉端部を含み、前記閉端部の壁に沿う孔を含む第１のハウジングと、
空洞及び開口部を含み、前記開口部が、前記第１のハウジングの壁に着座する第２のハウジングと、
少なくとも１つの照明素子と、
前記少なくとも１つの照明素子に電気的に結合され、アンテナ素子を含む駆動部基板と、を有し、
前記駆動部基板は、前記第２のハウジングの空洞内に少なくとも部分的に配置され、
前記第１のハウジングの孔は、無線周波数信号が前記第１のハウジングの内部空洞内に到達する経路を構成するように配置される、照明器具。
【請求項１５】
前記駆動部基板は、上端部分及び下端部分を含み、前記上端部分は第１の幅を有し、前記下端部分は第２の幅を有する、請求項１４に記載の照明器具。
【請求項１６】
前記第１の幅は前記第２の幅よりも小さい、請求項１５に記載の照明器具。
【請求項１７】
更に、電気絶縁体で構成される挿入リングを有し、前記挿入リングは、前記第１のハウジングの孔の中に嵌合するように構成される、請求項１６に記載の照明器具。
【請求項１８】
前記駆動部基板の第１の幅は、段付き形態を利用して前記駆動部基板の第２の幅へ移行し、それにより、前記駆動部基板は、その外周の周りに２つのショルダー領域を有する、請求項１７に記載の照明器具。
【請求項１９】
ノッチが、前記駆動部基板のショルダー領域の各々に沿って配置され、前記ノッチの各々は、前記挿入リングの一部を受入れるように構成される、請求項１８に記載の照明器具。
【請求項２０】
前記駆動部基板は、前記第１のハウジングの孔を通って突出する上端部分を含み、前記アンテナ素子は、前記駆動部基板の上端部分に配置される、請求項１４に記載の照明器具。
【発明の詳細な説明】
【技術分野】
【０００１】
本開示は、全体的には、ランプのためのアンテナ素子に関し、詳細には、孔を有するハウジングを用いたランプに関し、孔は、無線周波数（ＲＦ）信号がハウジングの内部空洞に達する経路を構成するように配置される。
【背景技術】
【０００２】
無線式照明制御システムは、無線周波数通信を利用して、照明器具又は電球の駆動部基板に取付けられたアンテナ素子に制御信号を伝達する。例えば、ユーザーは、無線制御装置を用いて光源を点灯、消灯、又は調光することができる。
【発明の概要】
【発明が解決しようとする課題】
【０００３】
しかしながら、照明器具は、金属材料で構成されたハウジングを含む場合がある。アンテナ素子は、金属製ハウジングの内部に置かれる場合又は金属製ハウジングで囲まれる場合がある。このため、金属製ハウジングは、無線周波数シールドとして作用する場合があり、実際、無線周波数信号がアンテナ素子に到達することが阻止される。その結果、金属製ハウジングが、無線周波数信号のアンテナ素子に到達する能力を著しく低下させ、光源を無線で制御するのが困難になる可能性がある。
【０００４】
照明器具の内部における無線周波数受信を改善する１つの試みでは、例えば比較的小型のホイップアンテナ等の三次元アンテナが照明器具の駆動部基板にはんだ付けされる。しかしながら、駆動部基板にホイップアンテナをはんだ付けすることは、照明器具に関連する労力及びコストがかなり高くなる場合がある。従って、本技術分野では、照明器具又は電球等の照明装置において改善された無線周波数受信を可能にするコスト効率の高いアンテナ素子に対するニーズが継続的に存在する。
【課題を解決するための手段】
【０００５】
１つの実施形態では、照明装置を示す。照明装置は、内部空洞及び孔を含む第１のハウジングと、少なくとも１つの照明素子と、照明素子に電気的に結合された駆動部基板を有する。駆動部基板はアンテナ素子を含む。駆動部基板は、第１のハウジングの内部空洞の中に少なくとも部分的に配置される。第１のハウジングの孔は、無線周波数信号が第１のハウジングの内部空洞に到達する経路を構成するように配置される。
【０００６】
別の実施形態では、別の照明器具を示し、別の照明器具は、第１のハウジングと、第２のハウジングと、少なくとも１つの照明素子と、駆動部基板を有する。第１のハウジングは、開端部及び閉端部を含み、閉端部の壁に沿う孔を有する。第２のハウジングは、空洞と、開口部を有する。第２のハウジングの開口部は、第１のハウジングの壁に着座する。駆動部基板は、照明素子に電気的に結合され、アンテナ素子を含む。駆動部基板は、第２のハウジングの空洞内に少なくとも部分的に配置される。第１のハウジングの孔は、無線周波数信号が第１のハウジングの内部空洞に到達する経路を構成するように配置される。
【図面の簡単な説明】
【０００７】
【図１】例示のランプの分解図である。
【図２】図１に示すランプの斜視図である。
【図３】図１に示すランプの断面図である。
【図４】図１に示すランプの駆動部基板の図である。
【図５】ランプの変形実施形態の断面図である。
【図６】図５に示すランプに使用される照明素子基板の変形実施形態を示す図である。
【図７】例示のダウンライト器具の断面図である。
【図８】図７に示すダウンライト器具の第２のハウジングの内部を示す図である。
【図９】図７に示すダウンライト器具の駆動部基板の図である。
【図１０】ダウンライト器具の断面図である。
【図１１】図１０に示すダウンライト器具の駆動部基板の図である。
【発明を実施するための形態】
【０００８】
以下の詳細な説明は、本発明の全般的な原理を示し、その実施例は、添付図面に追加的に示される。図面において、類似の参照番号は、同じ又は機能的に類似の要素を示す。
【０００９】
図１〜図２は、例示の照明器具１０を示す。照明器具１０は、第１のハウジング２０と、スリーブ又は第２のハウジング２２と、駆動部基板２６と、１又は２以上の照明素子２８と、照明素子基板３０と、光学部品３２と、ソケットベース３６を含む。実施形態において図示のように、照明素子２８は、照明素子基板３０の上面４０に沿って配置される。照明素子２８は、発光ダイオード（ＬＥＤ）であるのがよい。照明器具１０はタイプＡ電球として示されているが、当業者は、本開示は特定のタイプのランプに限定される必要がないことを認識すべきである。実際、例えば、埋込み型ダウンライト器具と同様、可視光線を伝達するように構成された任意のタイプの照明装置を使用してもよい。さらに、ＬＥＤ電球が示されているが、本開示はＬＥＤ照明に限定されず、蛍光灯又は電球型蛍光ランプ（ＣＦＬ）等の、他のタイプの照明にも同様に適用できることを理解すべきである。
【００１０】
１つの非限定的な実施形態では、第１のハウジング２０は、例えばアルミニウム又は合金等の熱伝導性金属で構成される。変形例として、別の実施形態では、第１のハウジング２０は、熱伝導性プラスチックで構成されてもよい。市販されている熱伝導性プラスチックの一例は、ＴＨＥＲＭＡ−ＴＥＣＨ（登録商標）で販売されている米国オハイオ州エイヴォンレーク所在のＰｏｌｙＯｎｅ  Ｃｏｒｐｏｒａｔｉｏｎから入手可能である。第２のハウジング２２は、限定されるものではないが、プラスチック等の無線周波数信号が通過することが可能である電気絶縁体である任意のタイプの非金属材料で構成される。例えば、１つの実施形態では、第２のハウジング２２は、アクリロニトリルブタジエンスチレン（ＡＢＳ）で構成される。
【００１１】
図１〜図３を参照すると、第１のハウジング２０は、中心に配置された孔４４と、第１のハウジング２０の上面４２に沿って配置された凹部４６を含む。具体的には、孔４４は、ランプ１０中心軸線Ａ−Ａのところに配置される。また、照明素子基板３０は、第１のハウジング２０の孔４４に一致し且つ中心に配置された孔４７を含む。特に図３を参照すると、第１のハウジング２０の凹部４６は、光学部品３２の開口部４８を受入れる形状を有する。具体的には、ランプ１０を組立てたとき、光学部品３２の開口部４８は、第１のハウジング２０の凹部４６の中に着座する。
【００１２】
光学部品３２は、照明空洞４９を定める包囲体であるのがよい。図３から分かるように、ランプ１０を組立てたとき、照明素子２８及び照明素子基板３０は、光学部品３２によって包囲される。光学部品３２は、光が通過することが可能な任意の実質的に透明又は半透明の材料で構成される。例えば、光学部品３２は、ポリカーボネート等のプラスチックで構成される。変形実施形態では、光学部品３２はガラスで構成されてもよい。
【００１３】
図１及び図３の両方を参照すると、挿入リング５０は、第１のハウジング２０の孔４４の中に嵌合する形状を有する。挿入リング５０は、例えばプラスチック等の電気絶縁体で構成される。挿入リング５０は、第１のハウジング２０の孔４４の中に配置される。図３から分かるように、駆動部基板２６の上端部分５２は、挿入リング５０に収容される。換言すれば、挿入リング５０は、駆動部基板２６の上端部分５２を包囲する。挿入リング５０は、駆動部基板２６と第１のハウジング２０（第１のハウジング２０が金属製であれば）並びに照明素子基板３０との間を電気的に絶縁するために使用することができる。
【００１４】
図４は駆動部基板２６の説明図である。駆動部基板２６は、様々な電力電子部品７０と、マイクロコントローラ及び無線機７２と、アンテナ素子７４を含む。１つの実施形態では、駆動部基板２６は、プリント回路基板（ＰＣＢ）である。実施形態では、アンテナ素子７４は、駆動部基板２６の上端部分５２に沿って配置される。アンテナ素子７４を駆動部基板２６の上端部分５２に沿って又は近接して配置することにより、後で詳細に説明するように、無線周波数信号の減衰を低減させることができる。アンテナ素子７４を駆動部基板２６の上端部分５２に沿って位置を決めすることが説明されているが、この構成に限定されず、アンテナ素子７４は、駆動部基板２６に沿う任意の場所に配置してもよいことを理解すべきである。駆動部基板２６は、照明素子２８（図３に示す）に電気的に接続されて電力を供給する。１つの実施形態では、駆動部基板２６の少なくとも一部は、白色はんだマスクでコーティングされる。特に、図３及び図４の両方を参照すると、駆動部基板２６の上端部分５２は、第１のハウジング２０の孔４４から突出して延び、照明空洞４９の中に延びる。駆動部基板２６のうちの照明空洞４９の内部に位置する部分が白色はんだマスクでコーティングされれば、白色はんだマスクが光を反射するので、光透過性が向上する。
【００１５】
図４を参照すると、駆動部基板２６はプリント回路基板として図示され、アンテナ素子７４は配線アンテナとして図示されている。しかしながら、当業者は、本開示が配線アンテナ及びプリント回路基板に限定されないことを理解すべきである。１つの実施形態では、アンテナ素子７４は、例えばＩＥＥＥの標準８０２．１５に準拠するＢｌｕｅｔｏｏｔｈ（登録商標）信号等の短距離無線周波数信号を受信するように構成される。さらに、１つのアンテナ素子７４だけが説明されているが、当業者は、様々な周波数の無線周波数信号を受信するために、より多くのアンテナ素子を駆動部基板２６上に含んでもよいことを容易に理解すべきである。変形例として、別の実施形態では、アンテナ素子７４は、様々な無線周波数の周波数帯で作動するマルチバンドアンテナであってもよい。
【００１６】
図３を参照すると、第１のハウジング２０は、内部空洞５９を有する。第１のハウジング２０の内部空洞５９は、少なくとも駆動部基板２６及び第２のハウジング２２の一部を受入れるように構成される。また、第２のハウジング２２は、駆動部基板２６を受入れるように構成された空洞６０を有する。駆動部基板２６は、第２のハウジング２２の空洞６０内において、無線周波数信号を実際に遮断する要素によって実質的に妨害されることなしに、無線周波数信号がアンテナ素子７４に到達できる向きに配置される。具体的には、図３に示す実施形態では、駆動部基板２６は、アンテナ素子７４が照明空洞４９内に配置されるように、第１のハウジング２０の孔４４から外向きに突出する。図３は、照明空洞４９内に配置されたアンテナ素子７４を示しているが、一部の実施形態では、アンテナ素子７４は、アンテナ素子７４が第２のハウジング２０内に配置されるように駆動部基板２６に沿って配置されてもよいことを理解すべきである。しかしながら、当業者は、第１のハウジング２０が無線周波数信号を実際に遮る材料（例えばアルミニウム）で構成される場合、アンテナ素子７４を照明空洞４９内に配置することにより、アンテナ減衰を低減させることを容易に理解すべきである。
【００１７】
さらに図３を参照すると、１つの実施形態では、駆動部基板２６の垂直面Ｐは、第１のハウジング２０の孔４４と実質的に整列する。従って、第１のハウジング２０の孔４４は、無線周波数信号が第１のハウジング２０の内部空洞５９へ進むための経路を構成する。従って、第１のハウジング２０が無線周波数信号を実際に遮る材料で構成される場合、アンテナ素子７４が第１のハウジング２０の内部空洞５９内に配置されていても、無線周波数信号は、依然としてアンテナ素子７４に到達することが可能である。
【００１８】
図５は、ランプ１００の変形実施形態を示す。図１〜図４に示しかつ説明した実施形態と同様、ランプ１００は、第１のハウジング１２０と、スリーブ又は第２のハウジング１２２と、第１の駆動部基板１２６と、１又は２以上の照明素子１２８と、照明素子基板１３０と、光学部品（図示しない）と、挿入リング１５０を含む。加えて、ランプ１００は、第１の駆動部基板１２６から略水平方向にオフセットされた第２の駆動部基板１５１を含む。第２の駆動部基板１５１は、電子部品（例えば、図４に示す電力電子部品７０、マイクロコントローラ及び無線機７２、及びアンテナ素子７４）の全てが、単一の駆動部基板上に装着できるとは限らない場合に使用される。ランプ１００は、パッケージ上の制約により、比較的大きな駆動部基板を収容できない場合がある。そのため、代わりに２つの駆動部基板を使用して、照明素子１２８への給電に関連する全ての電子部品を収容することができる。
【００１９】
前述の図１〜図４に示した実施形態と同様、アンテナ素子１７４は、駆動部基板１２６の上端部分１５２に沿って配置される。具体的には、アンテナ素子１７４は、第１のハウジング２０の孔１４４から外向きに突出する。図５は、駆動部基板１２６の上端部分１５２に沿って配置されたアンテナ素子１７４を示しているが、アンテナ素子１７４は、駆動部基板１２６に沿った任意の場所に配置されてもよいことを理解すべきである。さらに、アンテナ素子１７４は、第２の駆動部基板１５１に沿って同様に配置されてもよいことも理解すべきである。
【００２０】
図５から分かるように、第２の駆動部基板１５１は、実質的に第１のハウジング１２０の内部空洞１５９内で包囲される。しかしながら、第１のハウジング１２０の孔１４４は、無線周波数信号が第１のハウジング１２０の内部空洞１５９へ進むための経路を構成する。そのため、第１のハウジング１２０が無線周波数信号を実際に遮る材料で構成される場合、アンテナ素子１７４が第２の駆動部基板１５１に沿って配置されていても、無線周波数信号は、アンテナ素子１７４に到達することが依然として可能である。
【００２１】
図５に示した実施形態では、ランプ１００はオフセットデザインを組み入れることができる。具体的には、図２に示した実施形態と異なり、第１のハウジング１２０の孔１４４並びに照明素子基板１３０の孔１４７は両方とも、ランプ１００の中心軸線Ａ−Ａからオフセットされる。そのため、駆動部基板１２６の上端部分１５２は、同様にランプ１００の中心軸線Ａ−Ａからオフセットされるのがよい。図５に示した実施形態では、照明素子１２８は、照明素子基板１３０の外周１８４に沿って配置される。図６は、変形実施形態を示す。図５に示した実施形態と同様、照明素子基板２３０は、中心軸線Ａ−Ａからオフセットされた孔２４７を含む。しかしながら、照明回路基板２３０は、中心Ｃに又は中心Ｃの周りにグループ化された複数の照明素子２２８を含んでいてもよい。照明素子２２８を中心Ｃの周りに配置することが好都合な場合がある。具体的には、例えば、中心Ｃの周りに照明素子２２８を配置することにより、強化された光出力及び色温度ミキシングが達成される。
【００２２】
図７は、例示のダウンライト器具３００を示す。ダウンライト器具３００は、第１のハウジング３２０と、第２のハウジング３２２と、駆動部基板３２６と、１又は２以上の照明素子３２８と、照明素子基板３３０と、光学部品３３２と、カバー３３４を含む。前述の図１〜図６に示した実施形態と同様、第１のハウジング３２０は、熱伝導金属又は熱伝導プラスチックで構成されるのがよい。第２のハウジング３２２は、無線周波数信号が通過することが可能な電気絶縁体である任意のタイプの材料で構成され、材料は、限定されるものではないが、例えばプラスチックである。第１のハウジング３２０は、第２のハウジング３２２の上に配置される。ダウンライト器具３００が天井（図示しない）に組込まれるとき、通常、第１のハウジング３２０は露出し、第２のハウジング３２２は天井の中に埋込まれる。
【００２３】
第１のハウジング３２０は、開いた上端部３３６及び閉じた下端部３３８を含む。壁３４０は、第１のハウジング３２０の下端部３３８に配置される。第２のハウジング３２２の開口部３３９は、第１のハウジング３２０の壁３４０に着座するのがよい。中心に位置する孔３４４は、第１のハウジング３２０の壁３４０に沿って配置される。また、照明素子基板３３０は、第１のハウジング３２０の孔３４４に一致し且つ中心に位置する孔３４７を含む。光学部品３３２並びにカバー３３４は両方とも、第１のハウジング３２０に固定されるのがよい。具体的には、光学部品３３２は、第１のハウジング３２０の凹部３４６の中に着座するのがよい。光学部品３３２及びカバー３３４は協働して、照明空洞３４９を定める包囲体を構成する。
【００２４】
また、ダウンライト器具３００は、第１のハウジング３２０の孔３４４に嵌合するように構成された挿入リング３５０を含む。駆動部基板３２６の上端部分３５２は、挿入リング３５０に収容される。前述の図１〜図６に示した実施形態と同様、挿入リング３５０は、駆動部基板３２６と第１のハウジング３２０（第１のハウジング３２０が金属製であれば）及び照明素子基板３３０との間を電気的に絶縁するために使用される。
【００２５】
駆動部基板３２６は、上端部分３５２と、下端部分３５４を含む。図示の実施形態において、上端部分３５２は、第１の幅Ｗ１を有し、下端部分３５４は、第２の幅Ｗ２を有する。第１の幅Ｗ１は、第２の幅Ｗ２よりも小さく、駆動部基板３２６は略Ｔ字形の輪郭を有する。駆動部基板３２６の第２の幅Ｗ２は、第２のハウジング３２２の空洞３６０の中に配置された１又は２以上の位置決め部（対向する２つのスロット３６２として図８に示す）に一致する大きさを有する。図８は、第２のハウジング３２２の空洞３６０を図示する。図８から分かるように、空洞３６０は、対向する側部に配置された２つの対向するスロット３６２を含む。２つの対向スロット３６２は、駆動部基板３２６（図８には示していない）を第２のハウジング３２２の空洞３６０の中の所定の位置に位置決めするために使用される位置決め部である。また、空洞３６０は、第２のハウジング３２２の外壁３６６と協働して埋込み用チャンバ３７１を構成する２つのほぼ対向する壁３６４を含む。
【００２６】
図７及び図８の両方を参照すると、駆動部基板３２２の第２の幅Ｗ２は、２つの対向スロット３６２が駆動部基板３２６の側部３７６を摺動可能に受入れる大きさであるのがよい。駆動部基板３２６を２つの対向スロット３６２の中に配置した状態で、埋込み材（図示しない）を埋込み用チャンバ３７１の中に入れて、駆動部基板３２６を第２のハウジング３２２の空洞３６０の中の所定位置に固定することができる。
【００２７】
図９は、駆動部基板３２６を説明する。駆動部基板３２６は、様々な電力電子部品３７０と、マイクロコントローラ及び無線機３７２と、アンテナ素子３７４を含む。実施形態では、アンテナ素子３５６は、駆動部基板３２６の上端部分３５２に沿って配置される。しかしながら、前述の実施形態と同様、アンテナ素子３７４は、駆動部基板３２６に沿った任意の場所に位置決めしてもよいことを理解すべきである。図７及び図９を参照すると、駆動部基板３２６は、第１のハウジング３２０の孔３４４から外向きに突出し、アンテナ素子３７４は、照明空洞３４９内に配置される。前述の実施形態と同様、第１のハウジング３２０の孔３４４は、無線周波数信号が第２のハウジング３２２の内部空洞３６０内へ進むための経路を構成する。そのため、第１のハウジング３２０が無線周波数信号を実際に遮る材料から作られているとき、アンテナ素子３７４が第２のハウジング３２２の空洞３６０内に配置されているとしても、無線周波数信号は、アンテナ素子３７４に到達することが依然として可能である。
【００２８】
図１０は、ダウンライト器具４００の変形実施形態を示す。ダウンライト器具４００は、第１のハウジング４２０と、第２のハウジング４２２と、駆動部基板４２６と、１又は２以上の照明素子（図１０では見えない）と、照明素子基板４３０と、光学部品４３２と、カバー４３４と、挿入体４５０を含む。図１０に示した実施形態と同様、駆動部基板４２６は、上端部分４５２と、下端部分４５４を含み、上端部分４５２は第１の幅Ｗ１’を有し、下端部分４５４は第２の幅Ｗ２’を有する。第１の幅Ｗ１’は第２の幅Ｗ２’よりも小さい。図１１から分かるように、駆動部基板４２６の下端部分４５４は、テーパー付き形態であるのがよい。
【００２９】
図１１を参照すると、前述の実施形態と同様、駆動部基板４２６は、様々な電力電子部品４７０と、マイクロコントローラ及び無線機４７２と、アンテナ素子４７４を含む。また、駆動部基板４２６は、駆動部基板４２６の外周４５９に沿って配置された２つのショルダー領域４５８を含む。ショルダー領域４５８は、第１の幅Ｗ１’が第２の幅Ｗ２’に移行する場所に一致する。図示の実施形態では、第１の幅Ｗ１’は、段付き形態を利用して第２の幅Ｗ２’に移行し、これが２つのショルダー領域４５８を構成する。ノッチ４６１は、駆動部基板４２６の各ショルダー領域４５８に沿って配置される。図１０及び図１１の両方を参照すると、ノッチ４６１は、挿入体４５０の一部を受入れるように構成される。ノッチ４６２は、駆動部基板４２６を第２のハウジング４２２の中に所定の位置に固定するために使用される。
【００３０】
図面を全体的に参照すると、本開示のランプ及び照明器具は、現在入手可能な各種の照明装置と比較した場合、改善された無線周波数受信を伴う。これは、ヒートシンクとすることができる第１のハウジングが、孔を含み、この孔が、無線周波数信号が第１のハウジングの内部空洞へ進むための経路を構成するからである。そのため、第１のハウジングが例えばアルミニウムのような無線周波数信号を実際に遮る材料で作られていても、無線周波数信号は、依然としてアンテナ素子に到達することができる。アンテナ素子が第１のハウジングの中に隠される又は収容される場合も同じことが言える。
【００３１】
本明細書に記載された装置及び方法の形態は、本発明の好ましい実施形態を構成するが、本発明は、装置及び方法のこれらの厳密な形態に限定されず、装置及び方法は、本発明の範囲から逸脱することなく変更が可能であることを理解されたい。
【図１】
2017522690.tif 000003
【図２】
2017522690.tif 000004
【図３】
2017522690.tif 000005
【図４】
2017522690.tif 000006
【図５】
2017522690.tif 000007
【図６】
2017522690.tif 000008
【図７】
2017522690.tif 000009
【図８】
2017522690.tif 000010
【図９】
2017522690.tif 000011
【図１０】
2017522690.tif 000012
【図１１】
2017522690.tif 000013
【国際調査報告】
2017522690.tif 000014